(57)【特許請求の範囲】
【請求項１】
所定のアイコンを含む画面を表示可能である表示部と、
前記表示部に形成され、操作の受付が可能である入力部と、を備え、
前記表示部が第１画面を表示している状態において、前記入力部が第１の操作を受けた場合、前記表示部が、前記第１画面をスクロールしたように描画して、前記第１画面を前記表示部の一端より第１の量離れた位置に配置した第２画面を表示し、
前記表示部が前記第２画面を表示している状態において、前記入力部が第２の操作を受けた場合、前記第１画面を前記表示部の前記一端より第２の量離れた位置に配置した第３画面を表示し、
前記表示部が前記第３画面を表示している状態において、前記所定のアイコンに係る第３の操作を、前記入力部が受けた場合、前記所定のアイコンに対応する機能を実行するとともに、
前記表示部が前記第３画面を表示している状態において、前記入力部が第４の操作を受けた場合常に、前記表示部が、前記第３画面内の前記第１画面をスクロールしたように描画して前記第１画面を表示している前記状態に戻る、
入力装置。
【請求項２】
請求項１に記載の入力装置であって、
前記第２の操作は、スクロール操作である、
入力装置。
【請求項３】
請求項１又は請求項２に記載の入力装置であって、
前記第３の操作は、前記所定のアイコンに対するタップ操作である、
入力装置。
【請求項４】
所定のアイコンを含む画面を表示可能である表示部と、
前記表示部に形成され、操作の受付が可能である入力部と、を備える入力装置で利用可能な入力支援方法であって、
前記表示部が第１画面を表示している状態において、前記入力部が第１の操作を受けた場合、前記表示部が、前記第１画面をスクロールしたように描画して、前記第１画面を前記表示部の一端より第１の量離れた位置に配置した第２画面を表示し、
前記表示部が前記第２画面を表示している状態において、前記入力部が対する第２の操作を受けた場合、前記第１画面を前記表示部の前記一端より第２の量離れた位置に配置した第３画面を表示し、
前記表示部が前記第３画面を表示している状態において、前記所定のアイコンに係る第３の操作を、前記入力部に受けた場合、前記所定のアイコンに対応する機能を実行するとともに、
前記表示部が前記第３画面を表示している状態において、前記入力部が第４の操作を受けた場合常に、前記表示部が、前記第３画面内の前記第１画面をスクロールしたように描画して前記第１画面を表示している前記状態に戻る、
入力支援方法。
【請求項５】
請求項４に記載の入力支援方法であって、
前記第２の操作は、スクロール操作である、
入力支援方法。
【請求項６】
請求項４又は請求項５に記載の入力支援方法であって、
前記第３の操作は、前記所定のアイコンに対するタップ操作である、
入力支援方法。
【請求項７】
所定のアイコンを含む画面を表示可能である表示部と、
前記表示部に形成され、操作の受付が可能である入力部と、を備えるコンピュータに、
前記表示部が第１画面を表示している状態において、前記入力部が第１の操作を受けた場合、前記表示部が、前記第１画面をスクロールしたように描画して、前記第１画面を前記表示部の一端より所定の量離れた位置に配置した第２画面を表示し、
前記表示部が前記第２画面を表示している状態において、前記入力部に対する第２の操作を受けた場合、前記第１画面を前記表示部の前記一端より第２の量離れた位置に配置した第３画面を表示し、
前記表示部が前記第３画面を表示している状態において、前記所定のアイコンに係る第３の操作を、前記入力部に受けた場合、前記所定のアイコンに対応する機能を実行するとともに、
前記表示部が前記第３画面を表示している状態において、前記入力部が第４の操作を受けた場合常に、前記表示部が、前記第３画面内の前記第１画面をスクロールしたように描画して前記第１画面を表示している前記状態に戻る、
動作を実現させるプログラム。
【請求項８】
請求項７に記載のプログラムであって、
前記第２の操作は、スクロール操作である、
プログラム。
【請求項９】
請求項７又は請求項８に記載のプログラムであって、
前記第３の操作は、前記所定のアイコンに対するタップ操作である、
プログラム。
【発明の詳細な説明】
【技術分野】
【０００１】
本発明は、タッチパネルを介した入力操作を受け付ける入力装置、入力支援方法及びプログラムに関する。
【背景技術】
【０００２】
近年、タッチパネルを搭載した電子機器が増えている。ユーザにとって直感的な操作が可能なタッチパネルは、電子機器の入力操作を受け付けるデバイスとして、広く用いられている。タッチパネルは、電子機器に設けられた表示部（例えばＬＣＤ（Liquid Crystal Display）又は有機ＥＬ（Electroluminescence）ディスプレイ）の画面に対する入力操作の受け付けと、入力操作に対する電子機器の処理結果の表示とを同一の画面内において行うことを可能にする。
【０００３】
そして、そのタッチパネルを装置筐体の前面に設けた多機能携帯電話端末、いわゆるスマートフォンも広く知られている。スマートフォンは、電話機能に加え、無線を介してインターネットに接続して情報を取得するなどパーソナルコンピュータとしての機能も有している。使い方としては、ユーザがスマートフォンの装置筐体を一方の手で支え、他方の手の指でタッチパネルより入力操作を行うのが一般的であるが、片手操作のニーズも高い。すなわち、親指を除く四本の指と手の平でスマートフォンの装置筐体を支え、残る親指によって入力操作を行うことで、片手のみでの操作が可能となる。
【０００４】
しかしながら、この片手操作を行う際には、通常、タッチパネル下方部の背面を支えて親指で操作を行うことから、タッチパルの上方部に対しては、親指が届かず、入力操作を行うことが困難である。特に、タッチパネルが大画面化すればする程、この操作はますます困難となる。そこで、よく知られた技術であるが、タッチパネルに表示された画面をスクロール操作により上下に動く構成とし、タッチパネル上方部の画面を下方に移動させることで、入力操作を容易にすることができる。このスクロール操作については、例えば特許文献１に示されている。
【０００５】
特許文献１には、指がオブジェクトにフリック操作したと判定した場合には、フリック操作の方向にスクロールを実行する電子機器が開示されている。
【先行技術文献】
【特許文献】
【０００６】
【特許文献１】特開２０１２−１４５２４号公報
【発明の概要】
【発明が解決しようとする課題】
【０００７】
しかし、スマートフォン上で動作する全てのアプリケーション画面にて、スクロール可能にするためには、アプリケーションが保有する全ての画面表示について、上下方向にスクロール操作を行えるように設計する必要があることから、アプリケーション開発の負荷を上げ、結果として装置の製造コストの上昇をもたらす、という課題があった。また一般的なスマートフォンは、第三者が作成したアプリケーションのダウンロードとインストールを可能にする機能を保有しており、そういった第三者が作成したアプリケーションにまで全ての画面をスクロール可能なように実装させることは困難である。
【０００８】
本発明は、上述した従来の課題を解決するために、簡易な装置構成により、容易にタッチパネルの画面を一方に移動させることができる入力装置、入力方法及びプログラムを提供することを目的とする。
【課題を解決するための手段】
【０００９】
本発明の入力装置は、所定のアイコンを含む画面を表示可能である表示部と、前記表示部に形成され、操作の受付が可能である入力部と、を備え、前記表示部が第１画面を表示している状態において、前記入力部が第１の操作を受けた場合、前記表示部が、前記第１画面をスクロールしたように描画して、前記第１画面を前記表示部の一端より第１の量離れた位置に配置した第２画面を表示し、前記表示部が前記第２画面を表示している状態において、前記入力部が第２の操作を受けた場合、前記第１画面を前記表示部の前記一端より第２の量離れた位置に配置した第３画面を表示し、前記表示部が前記第３画面を表示している状態において、前記所定のアイコンに係る第３の操作を、前記入力部が受けた場合、前記所定のアイコンに対応する機能を実行するとともに、前記表示部が前記第３画面を表示している状態において、前記入力部が第４の操作を受けた場合常に、前記表示部が、前記第３画面内の前記第１画面をスクロールしたように描画して前記第１画面を表示している前記状態に戻る。
【００１０】
また、本発明の入力支援方法は、所定のアイコンを含む画面を表示可能である表示部と、前記表示部に形成され、操作の受付が可能である入力部と、を備える入力装置で利用可能な入力支援方法であって、前記表示部が第１画面を表示している状態において、前記入力部が第１の操作を受けた場合、前記表示部が、前記第１画面をスクロールしたように描画して、前記第１画面を前記表示部の一端より第１の量離れた位置に配置した第２画面を表示し、前記表示部が前記第２画面を表示している状態において、前記入力部が対する第２の操作を受けた場合、前記第１画面を前記表示部の前記一端より第２の量離れた位置に配置した第３画面を表示し、前記表示部が前記第３画面を表示している状態において、前記所定のアイコンに係る第３の操作を、前記入力部に受けた場合、前記所定のアイコンに対応する機能を実行するとともに、前記表示部が前記第３画面を表示している状態において、前記入力部が第４の操作を受けた場合常に、前記表示部が、前記第３画面内の前記第１画面をスクロールしたように描画して前記第１画面を表示している前記状態に戻る。
【００１１】
また、本発明のプログラムは、所定のアイコンを含む画面を表示可能である表示部と、前記表示部に形成され、操作の受付が可能である入力部と、を備えるコンピュータに、前記表示部が第１画面を表示している状態において、前記入力部が第１の操作を受けた場合、前記表示部が、前記第１画面をスクロールしたように描画して、前記第１画面を前記表示部の一端より所定の量離れた位置に配置した第２画面を表示し、前記表示部が前記第２画面を表示している状態において、前記入力部に対する第２の操作を受けた場合、前記第１画面を前記表示部の前記一端より第２の量離れた位置に配置した第３画面を表示し、前記表示部が前記第３画面を表示している状態において、前記所定のアイコンに係る第３の操作を、前記入力部に受けた場合、前記所定のアイコンに対応する機能を実行するとともに、前記表示部が前記第３画面を表示している状態において、前記入力部が第４の操作を受けた場合常に、前記表示部が、前記第３画面内の前記第１画面をスクロールしたように描画して前記第１画面を表示している前記状態に戻る。
【発明の効果】
【００１２】
本発明によれば、スマートフォンに代表される電子機器の片手操作が可能となる。
【図面の簡単な説明】
【００１３】
【図１】実施形態におけるスマートフォンの画面表示の推移を示す説明図
【図２】実施形態におけるスマートフォンの機能的構成を示すブロック図
【図３】実施形態におけるスマートフォンの動作を説明するフローチャート
【図４】図１に示す画面表示の推移の詳細な説明図
【発明を実施するための形態】
【００１４】
以下、本発明に係る入力装置、入力支援方法及びプログラムの実施形態について、図面を参照して説明する。本実施形態の入力装置は、データを画面に表示する表示部を含む電子機器であり、例えば携帯電話機、スマートフォン、タブレット端末、デジタルスチルカメラ、ＰＤＡ（personal digital assistant）又は電子書籍端末である。以下、実施形態の入力装置の一例として、スマートフォンを用いて説明する。
【００１５】
なお、本発明は、装置としての入力装置、又は入力装置をコンピュータとして動作させるためのプログラムとして表現することも可能である。更に、本発明は、入力装置により実行される各動作（ステップ）を有する入力支援方法として表現することも可能である。即ち、本発明は、装置、方法及びプログラムのうちいずれのカテゴリーにおいても表現可能である。
【００１６】
以下の説明において、タッチパネルに接触(近接も含む。以下、同じ。)する物体（指示媒体）の一例としてユーザの親指を用いて説明するが、指に限らず、導電性のスタイラスでも良い。タッチパネルに接触する物体は、タッチパネルの構造及び検知方式に応じて、タッチパネルへの接触が検出可能なものであれば限定されない。
【００１７】
また、「タップ」とは、タッチパネルを指示媒体で軽く叩く動作であって、装置側においては、予め定められた短い時間の接触により「タップ」と判断する。
【００１８】
また、タッチパネルの水平面を表す２軸をｘ軸及びｙ軸とし、「接触座標」は、タッチパネルが指の接触を検知した時のタッチパネルの水平面上の位置を特定するための座標（ｘ、ｙ）を示す。
【００１９】
さらに、以下の説明において、タッチパネルの面上に表示されている画像をそのままコピーして保持する処理を「キャプチャ処理」と定義する。
【００２０】
先ず、本発明の一実施形態のスマートフォンの動作について、図１を参照して説明する。図１は、スマートフォンの前面に設けられたタッチパネル兼表示画面(以下、タッチパネルという)１における画面表示の推移を示す説明図である。
【００２１】
図１（ａ）は、タッチパネル１の初期画面であって、画面の上部には４つのアイコン２が表示されている。このアイコン２には、ユーザが指で接触することにより、アイコン２各々に関連付けられたアプリケーションを起動させる役割がある。そして、この初期画面の下部には、初期画面を引き下げて表示することを指示するマーク３が表示されている。
【００２２】
図１（ａ）の初期画面に対して、ユーザが指（例えば親指）ＦＧで、マーク３に接触をすると、図１（ｂ）に示すように、初期画面は、タッチパネル１の下部に向けて一定量引き下げられて表示される。これにより、ユーザは、例えば片手操作を行う際、親指が届かない画面上部に位置していたアイコン２に対して接触することが可能になる。
【００２３】
図１（ｃ）は、図１（ｂ）に示す一定量引き下げられた初期画面に対し、指ＦＧを画面に接触させたまま上下動させることで、初期画面のスクロール操作を行えることを示している。なお、このスクロール操作は、画面位置の微修正を行うためのものであって、必ずしも行う必要はない。
【００２４】
次に、ユーザは、図１（ｄ）に示すように、指ＦＧにより所望のアイコン２をタップする。タップされたアイコン２上には、接触したことを示すポインタ（例えば円）を、図１（ｅ）に示すように表示する。この表示により、ユーザは、所望のアイコン２に対してタップできたかを確認することができる。なお、本実施形態では、タップしたアイコン２に対してポインタを表示させているが、この表示はポインタに限られるものではなく、タップしたことをユーザが認識できる表示であればよい。
【００２５】
その後、図１（ｆ）に示すように、初期画面はタッチパネル１の上端にまで引き上げられる。そして、図１（ｇ）に示すように、指ＦＧによりタップされたアイコン２が選択されたと判断され、選択されたアイコン２に割り当てられた機能が実行されることになる。
【００２６】
以上が、本発明の実施形態におけるタッチパネル１の表示動作の推移であるが、以下にこの表示動作を行うための具体的な構成について説明する。
【００２７】
図２は、本発明の一実施形態であるスマートフォン１００の構成を示すブロック図であり、１は、タッチパネルであり、より詳細には、タッチパネル等の入力部１０１とディスプレイ等の表示部１０２から構成されている。なお、本実施形態では、入力部１０１と表示部１０２とを一体に形成しているが、必ずしも両者は完全に一体である必要は無く、例えば入力部の一部を、スマートフォン１００の筐体に設けられた物理キーで形成してもよい。
【００２８】
１０３は、座標変換部であり、キャプチャ処理した画面（後述）に対して指ＦＧが接触した位置座標（ｘ、ｙ）を、元の画面の位置座標（ｘ、ｙ）に変換する。１０４は、メモリであり、指ＦＧが接触した位置座標、及びずれ量（後述）を保持する。
【００２９】
１０５は、制御部であり、例えばＣＰＵ（Central Processing Unit）、ＭＰＵ（Micro Processing Unit）又はＤＳＰ（Digital Signal Processor）を用いて構成され、入力部１０１、表示部１０２、座標変換部１０３、及びメモリ１０４の各部を制御し、後述する実施形態における様々な処理を行う。
【００３０】
次に、本実施形態のスマートフォン１００の動作概要を、図３及び図４を用いて説明する。図３は、本実施形態の動作を説明するフローチャートであり、ユーザの指ＦＧにより入力部１から入力を行った場合のスマートフォン１００の動作を示す。図４は、図１に示した画面表示の推移をより詳細に示す説明図である。
【００３１】
まず、制御部１０５は、ユーザの指ＦＧが入力部１０１に接触したか否か、すなわち入力操作があったか否かを検出している（ＳＴ１）。ここで、入力操作が無いと判断すれば、引き続き入力操作の検出を継続する。入力操作があったと判断すれば、次に、図１（ｂ）〜（ｆ）示した、画面を引き下げて入力を行う機能（以下、本機能という）が作動中であるか否かを判断する。
【００３２】
本機能が作動中ではないと判断（ＳＴ２でｎｏと判断）、言い換えれば、タッチパネル１が図１（ｂ）〜（ｆ）のいずれの状態にもないと判断すれば、当該入力操作が本機能を呼び出すものか否かを判断する（ＳＴ３）。具体的には、画面の下部に表示されているマーク３（図１（ａ）参照）に対してユーザの指ＦＧが接触したか否かを判断する。なお、本実施形態では、マーク３への接触の有無により判断を行っているが、スマートフォン１の筐体上に設けられた物理キーの押下の有無や、指ＦＧによる所定の動きの有無により判断を行う構成としてもよい。
【００３３】
入力操作が本機能を呼び出すものではないと判断されれば（ＳＴ３でｎｏと判断）、ＳＴ１に戻り、新たな入力操作があったか否かを検出する。
【００３４】
入力操作が本機能を呼び出すものであると判断されれば（ＳＴ３でｙｅｓと判断）、次にキャプチャ処理を行う（ＳＴ４）。ここで、図４を用いて、キャプチャ処理について説明する。キャプチャ処理とは、上述したように、タッチパネル１の面上に表示されている画像をそのままコピーして保持する処理であって、図４（ａ）のマーク３に対して入力操作が行われたとすると、この入力操作がなされた画面Ａ（図１において初期画面として説明した画面）上の画像をその座標位置とともに全てコピーして保持する処理をいう。
【００３５】
キャプチャ処理を行った（ＳＴ４）後には、画面生成を行う（ＳＴ５）。この画面生成とは、ＳＴ４でのキャプチャ処理にて保持した画像を、別画面に描画ことである。すなわち、図４（ｂ）に示すように、画面Ａとは別に新たな画面Ｂを生成し、この画面Ｂ上に、ＳＴ４のキャプチャ処理にて保持した画像を描画する。なお、新たに生成された画面Ｂは、画面Ａと全く同じ表示の画面ではあるものの、単にキャプチャ処理にて保持した画像を描画しただけのものであることから、画面Ａのようにアプリケーションが保有する画面ではない。
【００３６】
画面生成を行った（ＳＴ５）後には、この新たに生成した画面を表示する（ＳＴ６）。より詳細には、新たに生成した画面Ｂは、図４（ｂ）に示すように、まず、元の画面Ａに代わってタッチパネル１に表示される。すなわち、画面Ａは画面Ｂに隠され、画面Ａは表示部２に表示されなくなる。
【００３７】
次に、図４（ｃ）に示すように、画面Ｂを一定距離αだけ、タッチパネル１の下方にスクロールしたように描画して表示する。画面Ｂを下方にスクロールしたように描画する際には、一定距離α分だけ空白部分が生じるが、本実施形態ではこの空白部分をブラック表示している。なお、この空白部分はブラック表示以外であってもかまわないが、画面Ａの一部分でも表示されると、ユーザに対して画面Ｂとの混同を生じさせてしまうことから、画面Ａが一切表示されない形態であることが望ましい。新たな画面Ｂの表示がなされた（ＳＴ６）後は、ＳＴ１に戻り、新たな入力操作があったか否かを検出する。
【００３８】
次に、入力操作があったと判断（ＳＴ１でｙｅｓと判断）され、本機能が作動中であると判断（ＳＴ２でｙｅｓと判断）された場合について説明する。
【００３９】
本機能が作動中であると判断（ＳＴ２でｙｅｓと判断）されると、まず、入力操作が本機能を終了させるものであるか否かの判断を行う（ＳＴ７）。本機能を終了させる入力操作とは、例えば、図示しないストップキーの押下等であって、この入力操作であると判断すると（ＳＴ７でｙｅｓと判断）、キャプチャ処理により作成された新たな画面Ｂを破棄し（ＳＴ８）、その後、ＳＴ１に戻り、新たな入力操作があったか否かを検出する。
【００４０】
入力操作が本機能を終了させるものでないと判断すると（ＳＴ７でｎｏと判断）、次に、入力操作が画面をスクロールするものか否かを判断する（ＳＴ９）。ここでいうスクロールとは、図１（ｃ）に示したように、画面位置の微修正を行うためのものである。なお、このスクロールにより画面Ｂの空白部分は、その領域を変化させる。また、画面をスクロールさせる入力操作とは、図４（ｄ）に示すように、タッチパネル１の下方に引き下げられて描画された画面Ｂに対し、ユーザが指ＦＧを接触させて上または下に移動させる動作である。
【００４１】
入力操作が画面をスクロールするものであると判断すると（ＳＴ９でｙｅｓと判断）、指ＦＧの移動量だけ画面Ｂを移動させ（ＳＴ１０）、その後、ＳＴ１に戻り、新たな入力操作があったか否かを検出する。
【００４２】
入力操作が画面をスクロールするものでないと判断すると（ＳＴ９でｎｏと判断）、次に、入力操作がタップであるか否かを判断する（ＳＴ１１）。入力操作がタップでないと判断すると（ＳＴ１１でｎｏと判断）、ＳＴ１に戻り、新たな入力操作があったか否かを検出する。
【００４３】
一方、入力操作がタップであると判断すると（ＳＴ１１でｙｅｓと判断）、タップした画面Ｂ上の位置にポインタを描画する（ＳＴ１２）。そして、同時に、そのタップした画面Ｂ上の位置を接触座標として、メモリ１０４に保持する。
【００４４】
次に、画面Ｂにおける空白部分のｙ軸方向の距離をずれ量βとして、メモリ１０４に保持する（ＳＴ１３）。
【００４５】
すなわち、本実施形態では、図４（ｅ）及び（ｆ）に示すように、画面Ｂ上をユーザがタップすると、そのタップされた画面位置に丸印のポインタを表示するとともに、その画面位置を接触座標として、ずれ量βとともにメモリ１０４に保持することになる。
【００４６】
ずれ量βを保持した（ＳＴ１３）後は、図４（ｇ）に示すように、画面Ｂをずれ量β分だけタッチパネル１上端までスクロールしたように描画して表示する（ＳＴ１４）。そして、画面Ｂがタッチパネル１上端までスクロールされた描画を表示し終わった段階で、キャプチャ処理により生成した画面Ｂを破棄する（ＳＴ１５）。この時点で画面Ｂはタッチパネル１表示されなくなり、図４（ｈ）に示すように、代わりに元々の表示画面であった画面Ａが表示される。なお、図４（ｇ）に示すように、画面Ｂを一旦タッチパネル１上端までスクロールしたように描画して表示するのは、いきなり画面が変化してユーザに違和感を感じさせないようにするためである。
【００４７】
最後に、制御部１０５は、メモリ１０４に格納されている、タップされた接触座標と、ずれ量βを読み出して座標変換部１０３に入力する。座標変換部１０３は、入力された接触座標のうちｘ軸座標についてはそのまま、ｙ軸座標については、ずれ量βを加えて入力部１０１に出力する。入力部１０１は、その入力された座標を画面Ａに対してタップされた座標として制御部１０５に出力する。
【００４８】
制御部１０５は、その座標変換した接触座標に対してタップが行われたと判断し、その接触座標にアイコン２が存在していれば、図４（ｈ）に示すように、アイコン２の反転表示を表示部１０２に行わせるとともに、接触座標に位置するアイコン２に割り付けられた機能を実行する（ＳＴ１６）。そして、その機能の実行が終了した後には、ＳＴ１に戻り、新たな入力操作があったか否かを検出する。
【００４９】
以上、詳細に説明したように、本実施形態においては、キャプチャ処理（ＳＴ４）をすることで新たな画面を生成（ＳＴ５）し、この新たに生成された画面に対して、タッチパネル１の下方へのスクロール表示（ＳＴ６）、画面位置調整のためのスクロール表示（ＳＴ１０）、タッチパネル１の上方へのスクロール表示（ＳＴ１４）を行わせるとともに、新たに生成された画面に対する接触座標を変換して擬似的なタップ処理（ＳＴ１６）を行っている。
【００５０】
そのため、この制御部１０５による一連の制御は、アプリケーションが保有する画面を制御する場合に比べると、キャプチャ機能と擬似的なタップ処理を実現する仕組みさえ設ければよいため、スマートフォン等に用いられているオペレーティングシステム（Ｏｐｅｒａｔｉｎｇ Ｓｙｓｔｅｍ, ＯＳ）に手を加える必要も最小限にとどめられ、簡易なプログラミングで実現することが可能である。すなわち、本実施形態によれば、アプリケーション毎に実装を行わずとも、さらに第三者が作成したいかなるアプリケーションであっても、画面下部までスクロールさせることが可能となる。
【００５１】
なお、本実施形態においては、キャプチャ処理により生成された画面をタッチパネルの下方に一定量引き下げる構成としているが、例えばタッチパネルの横方向に一定量移動させる構成でもよい。これにより、例えばスマートフォンを縦長ではなく横長に配置して使用した際に、利き腕の方向に画面を寄せることが可能となる。
【００５２】
また、本発明はかかる実施形態に限定されない。当業者であれば、特許請求の範囲に記載された範疇内において、実施の形態の変更例または修正例、更に各種実施の形態の組み合わせ例に想到し得ることは明らかであり、それらについても当然に本発明の技術的範囲に属するものと了解される。
【産業上の利用可能性】
【００５３】
本発明は、ディスプレイ機能を有するタッチパネルを介して入力操作を受け付ける入力装置、入力支援方法及びプログラムとして有用である。
【符号の説明】
【００５４】
１ タッチパネル
２ アイコン
３ マーク
１００ スマートフォン
１０１ 入力部
１０２ 表示部
１０３ 座標変換部
１０４ メモリ
１０５ 制御部
【図１】
0005955446.tif 000002
【図２】
0005955446.tif 000003
【図３】
0005955446.tif 000004
【図４】
0005955446.tif 000005